(57)【要約】【課題】不正防止のためパチンコホールの要請に合った方法に容易に切り替えられ、設備費も嵩むことがなく経済的である遊技機の可変入賞装置を提供する。【解決手段】伝達機構１７は前側の第一レバー部材１８と支軸部２７に上下反転して着脱自在に軸着される後側の第二レバー部材１９とからなり、第二レバー部材１９の前側であってその上・下部の一方に係合凸部３０ａを設け、第一レバー部材１８の後側であって該第一・第二レバー部材１８，１９の支軸部２０，２７の中心を結んだ基線Ｂ上から外れた位置に、係合凸部３０ａが係合しているとき第一レバー部材１８後部の基線Ｂ側への回動が第二レバー部材１９に閊えて不可能であるのに対し第二レバー部材１９前部の基線Ｂ側への回動が可能となるように形成された係合凹部２４を設け、第二レバー部材１９を付け直すことにより、係合凸部３０ａが係合凹部２４に係合可能または係合不能な状態に変換する。【選択図】図３
2012011020.tif 000002
【特許請求の範囲】
【請求項１】
遊技盤面に装着され、前記遊技盤面の前側に配置し遊技球が入賞し難い起立状態と遊技球が入賞し易い逆ハの字状の傾倒状態とに回動操作される一対の可動翼片と、前記遊技盤面の後側に配置し前記一対の可動翼片を作動させるための電気的駆動手段と、前記一対の可動翼片と前記電気的駆動手段との間に配置しこれらを連係して該電気的駆動手段の駆動力を前記一対の可動翼片に伝達する伝達機構と、を備えてなる遊技機の可変入賞装置であって、
前記伝達機構は、前側に位置し水平な支軸部に軸着される第一レバー部材と、前記第一レバー部材とその後側で連係しかつ水平な支軸部に上下反転して着脱自在に軸着される第二レバー部材と、からなり、
前記第二レバー部材の支軸部より前側であってその上部または下部の一方に係合凸部を設け、前記第一レバー部材の支軸部より後側であって該第一レバー部材の支軸部の中心と前記第二レバー部材の支軸部の中心とを結んだ基線上から外れた位置に、前記係合凸部が係合しているとき前記第一レバー部材後部の前記基線側への回動が前記第二レバー部材に閊えて不可能であるのに対し前記第二レバー部材前部の前記基線側への回動が可能となるように形成された係合凹部を設け、
前記第二レバー部材を上下反転して支軸部に付け直すことにより、前記係合凸部が前記係合凹部に係合可能な状態と係合不能な状態とに変換できるようにしたことを特徴とする遊技機の可変入賞装置。
【発明の詳細な説明】
【技術分野】
【０００１】
本発明は、遊技機に配設される遊技盤面に装着し、電気的駆動手段により左右一対の可動翼片を起立または逆ハの字状に傾倒して遊技球が入賞し難くまたはし易いように変換する遊技機の可変入賞装置に関するものである。
【背景技術】
【０００２】
従来、遊技機の代表的なものの一つにパチンコ遊技機がある。該パチンコ遊技機はその本体枠に遊技盤が配設されており、該遊技盤面には多くの盤面部品が装着されている。このうち、例えば一対の可動翼片を遊技球が入賞し難い起立状態または遊技球が入賞し易い逆ハの字状の傾倒状態とに変換可能な可変入賞装置が有る。該可変入賞装置は、一対の可動翼片と、該可動翼片を電気的に作動させるための電気的駆動手段としてのソレノイドと、一対の可動翼片とソレノイドとの間に介在され該ソレノイドの駆動力を一対の可動翼片に伝達する伝達機構と、を備えている。ところで、この種の可変入賞装置にあっては、遊技者が針金等の不正具を遊技盤面に這わせ、起立している両可動翼片を逆ハの字状に傾倒させて故意に多くの入賞球を得ようとする不正行為が行なわれている。この問題は、ソレノイドが消磁している状態で起立している一対の可動翼片が自由に傾倒してしまうことに起因する。そこで、前記伝達機構やソレノイドに構造上の工夫を凝らし、起立した一対の可動翼片を針金などの不正具により故意に傾倒させようとしても、該一対の可動翼片が傾倒しないようにしてその不正行為を防止するようにしたものが有る（例えば、特許文献１，２参照。）。
【先行技術文献】
【特許文献】
【０００３】
【特許文献１】特開２００３−３３４８９号公報（第３−４頁、図１、図２）
【特許文献２】特開２００９−３９１７２号公報（第６−１１頁、図２乃至図６）
【発明の概要】
【発明が解決しようとする課題】
【０００４】
前記特許文献１、２に示される可変入賞装置では、その不正行為を防止するために構造上の工夫が凝らされているが、別の方法として前記不正防止のための構造を作らずに元のままの状態で、例えばソレノイドを動作させるための入力信号と入賞した遊技球を検出する出力信号とをチェックしておき、その関係に不自然な状態、例えばソレノイドが作動しないのに入賞球の検出信号が出力されるといった状態を電気的に検知して、不正行為が行なわれたことを発見する方法もある。そこで、パチンコ遊技機メーカーは、パチンコホールの要請によってそれら２種類の可変入賞装置をそれぞれ別個に製作し用意しておく必要がある。
【０００５】
しかしながら、初めから不正行為を防止するため構造上の工夫が凝らされた可変入賞装置と、不自然な状態を検出して不正行為を電気的に検知する可変入賞装置と、はそもそも構成が全く異なり、それら２種類の可変入賞装置をそれぞれ別々に製作することは、それら製作のための設備も別途余分な設備が必要であって設備費が嵩み経済的でないという課題がある。
【０００６】
そこで、本発明は上記課題を解決すべくなされたもので、内部の部材を付け直すのみで不正防止のためのパチンコホールの要請に合った方法に容易に切り替えられ、しかも、設備費も嵩むことがなく経済的であるという遊技機の可変入賞装置を提供することを目的とするものである。
【課題を解決するための手段】
【０００７】
かかる目的を達成するため本発明の遊技機の可変入賞装置は、遊技盤面に装着され、前記遊技盤面の前側に配置し遊技球が入賞し難い起立状態と遊技球が入賞し易い逆ハの字状の傾倒状態とに回動操作される一対の可動翼片と、前記遊技盤面の後側に配置し前記一対の可動翼片を作動させるための電気的駆動手段と、前記一対の可動翼片と前記電気的駆動手段との間に配置しこれらを連係して該電気的駆動手段の駆動力を前記一対の可動翼片に伝達する伝達機構と、を備えてなる遊技機の可変入賞装置であって、前記伝達機構は、前側に位置し水平な支軸部に軸着される第一レバー部材と、前記第一レバー部材とその後側で連係しかつ水平な支軸部に上下反転して着脱自在に軸着される第二レバー部材と、からなり、前記第二レバー部材の支軸部より前側であってその上部または下部の一方に係合凸部を設け、前記第一レバー部材の支軸部より後側であって該第一レバー部材の支軸部の中心と前記第二レバー部材の支軸部の中心とを結んだ基線上から外れた位置に、前記係合凸部が係合しているとき前記第一レバー部材後部の前記基線側への回動が前記第二レバー部材に閊えて不可能であるのに対し前記第二レバー部材前部の前記基線側への回動が可能となるように形成された係合凹部を設け、前記第二レバー部材を上下反転して支軸部に付け直すことにより、前記係合凸部が前記係合凹部に係合可能な状態と係合不能な状態とに変換できるようにしたことを特徴とする。
【発明の効果】
【０００８】
本発明の遊技機の可変入賞装置は、伝達機構が、前側に位置し水平な支軸部に軸着される第一レバー部材と、第一レバー部材とその後側で連係しかつ水平な支軸部に上下反転して着脱自在に軸着される第二レバー部材と、からなり、第二レバー部材の支軸部より前側であってその上部または下部の一方に係合凸部を設け、第一レバー部材の支軸部より後側であって該第一レバー部材の支軸部の中心と第二レバー部材の支軸部の中心とを結んだ基線上から外れた位置に、係合凸部が係合しているとき第一レバー部材後部の基線側への回動が第二レバー部材に閊えて不可能であるのに対し第二レバー部材前部の基線側への回動が可能となるように形成された係合凹部を設けている。そして、第二レバー部材を上下反転して支軸部に付け直すことができるようにすることにより、係合凸部が係合凹部に係合可能な状態と係合不能な状態とに変換できることになる。これによって、パチンコ遊技機メーカーはパチンコホールの要請に対しても該パチンコホールの要請に合った方法に容易に切替ができ、しかも、余分な設備を必要とすることなく一つの設備でもって２種類の可変入賞装置を製作することが可能なことから、設備費の面で極めて経済的であるという有益な効果も有る。
【図面の簡単な説明】
【０００９】
【図１】（イ）は本発明に係る遊技機の可変入賞装置の斜視図、（ロ）は同側面図。
【図２】取付基板及びポケット枠部の後側から見た斜視図。
【図３】可変入賞装置の主たる部材を示す斜視図。
【図４】可変入賞装置の主たる部材を示す分解斜視図。
【図５】（イ）（ロ）は可変入賞装置の主たる部材の作用を示す側面図。
【図６】（イ）（ロ）は同第二レバー部材を付け直した状態の作用を示す側面図。
【図７】第一レバー部材と第二レバー部材の関係を示す説明図。
【発明を実施するための形態】
【００１０】
以下、本発明に係る遊技機の可変入賞装置の最良の実施の形態を図面に基づき説明する。本発明に係る可変入賞装置は、例えばパチンコ遊技機、アレパチ遊技機、雀球遊技機等の遊技機に適用されるが、そのうちパチンコ遊技機に適用される場合について説明する。図１（イ）は本発明に係る遊技機の可変入賞装置の斜視図、図１（ロ）は同側面図、図２は取付基板及びポケット枠部の後側から見た斜視図、図３は可変入賞装置の主たる部材を示す斜視図、図４は可変入賞装置の主たる部材を示す分解斜視図である。
【００１１】
可変入賞装置は、不図示のパチンコ遊技機における遊技盤面に取り付けられる取付基板１を有し、図１、図２に示すようにその中央の下部に、球通孔２が開設されると共にその上部に上面が開口した球受枠３が形成されている。該球受枠３は取付基板１の後側に形成された球誘導樋４と連通しており、上から球受枠３に入賞した遊技球であるパチンコ球は、取付基板１の後側の球誘導樋４に流入することになる。取付基板１の前面に、前記球通孔２の周囲を囲うようにして上面が開放するポケット枠部５が設けられる。また取付基板１の後側には、前記球通孔２と連通する囲い枠６が固着される。前記球誘導樋４は、その上面に配設されることになる。
【００１２】
前記ポケット枠部５を更に詳しく説明すると、該ポケット枠部５は前面板部５ａ及び取付基板１との間の両側と下側を囲う側面板部５ｂとからなり、後面が開放している。前面板部５ａは、その上端縁が側面板部５ｂの上端縁よりも上方に突出している。そして、該ポケット枠部５内に、前記球通孔２を挟んでその両側に位置するようにして一対の可動翼片８，８が配置される。両可動翼片８，８は前後に突出する軸ピン７，７が設けられ、これら前後の軸ピン７，７が前面板部５ａと取付基板１とに軸支されることにより、一対の可動翼片８，８が回動自在に軸着される。また、各可動翼片８の後面であって前記軸ピン７より内側に、取付基板１の球通孔２を介して該取付基板１の後側へ延設される作動ピン９が設けられている。該各作動ピン９は前記球通孔２を介して囲い枠６内に位置し、図３、図４に示すように後記する第一レバー部材１８の前側に設けた二股保持部２２に係合されるようになっている。両可動翼片８，８が起立した状態では、ポケット枠部５内にパチンコ球が入賞するのは困難であり、両可動翼片８，８が逆ハの字状に傾倒した状態では、ポケット枠部５内にパチンコ球が入賞し易くなり、両可動翼片８，８が起立または傾倒することによってこれらが変換可能になっている。前記前面板部５ａの裏面であってその中央に、上端縁が後方へ向かって下傾する案内板部１０が設けられている。一対の開いた可動翼片８，８間に入賞したパチンコ球は、球通孔２を介して囲い枠６に導かれそのまま下方へ落下する。
【００１３】
図３、図４に示すように前記囲い枠６内に、その後端に縦置きしてプランジャー１２がその下面から下方へ進退動し前記一対の可動翼片８，８を作動させる電気的駆動手段としてのソレノイド１１が配置される。プランジャー１２には圧縮コイルバネ１３が巻装され、ソレノイド１１が消磁しているときはプランジャー１２が圧縮コイルバネ１３の付勢により下方へ突出し、励磁したときはプランジャー１２が圧縮コイルバネ１３の付勢に抗して上方へ収縮するようになっている。プランジャー１２の下端部に、前から見て略Ｈ字状の作用枠体１４が取着される。該作用枠体１４の両側に位置する側板１４ａ，１４ａに共に外側へほぼ水平に突出する一対のガイドピン１５，１５が設けられ、これら両側のガイドピン１５，１５が囲い枠６における両側壁６ａ，６ａに開設された縦案内溝１６，１６に嵌入している。そして、プランジャー１２の進退動作に伴い、作用枠体１４が両縦案内溝１６，１６に沿って上下動することになる。
【００１４】
一対の可動翼片８，８とソレノイド１１との間に、これらを連係して該ソレノイド１１の駆動力を前記一対の可動翼片８，８に伝達する伝達機構１７が配置される。次に、この伝達機構１７について説明する。該伝達機構１７は、前側すなわち一対の可動翼片８，８側に位置する第一レバー部材１８と、後側すなわちソレノイド１１側に位置し該第一レバー部材１８と連係する第二レバー部材１９と、からなっている。図４鎖線に示すように、該第二レバー部材１９は可変入賞装置の囲い枠６を外して分解することにより上下逆にして付け直すこともできるようになっている。
【００１５】
第一レバー部材１８は後側の基端部１８ａから前方へ平行な一対の腕片部１８ｂ，１８ｂが延設され、両腕片部１８ｂ，１８ｂの外側面に同一軸線上に位置して水平な支軸部２０，２０が突設されている。これら支軸部２０，２０は前記囲い枠６の両側壁６ａ，６ａに設けられた軸孔２１，２１に嵌入され、該支軸部２０，２０を中心として第一レバー部材１８が前後方向の鉛直面内で上下に回動する。各腕片部１８ｂ，１８ｂの先端に、前記各可動翼片８から後方へ突出した作動ピン９が係合する二股保持部２２が設けられる。また、第一レバー部材１８の基端部１８ａにおける後側の両外側面に、連係ピン２３，２３が突設されている。そして、両支軸部２０，２０より後側であり基端部１８ａの両外側面に対向位置して、係合凹部２４，２４が形成されている。後で詳しく説明するように前記各係合凹部２４は、一定の条件の元で第二レバー部材１９が係合し、不正具を用いて一対の可動翼片８，８を傾倒させ故意に開ける不正を防止するためのものである。更に詳しくは、両基端部１８ａ，１８ａにおける上端部の外側面に後方へほぼ水平に延びる受片部２５が配設され、該受片部２５の前側下面から下方へ弧状に膨出する張出部２６が一体に形成されている。
【００１６】
第二レバー部材１９は平面略Ｈ字状に形成され、両側に位置する支持板１９ａ，１９ａのほぼ中央に両端部が両支持板１９ａ，１９ａから外側へ突出する支軸部２７が設けられる。両支持板１９ａ，１９ａから外側へ突出する支軸部２７，２７の両端部は囲い枠６の両側壁６ａ，６ａに設けられた軸孔２８に嵌入され、該支軸部２７，２７を中心として第二レバー部材１９が前後方向の鉛直面内で上下に回動する。また、両支持板１９ａ，１９ａの支軸部２７を挟んだ前後両側に、それぞれ両支持板１９ａ，１９ａに沿ってしかも先端で開放する溝部２９，２９が開設される。前側の溝部２９ａ，２９ａに前記第一レバー部材１８の後側に突設された連係ピン２３，２３が遊嵌され、後側の溝部２９ｂ，２９ｂには前記ソレノイド１１のプランジャー１２に設けられた作用枠体１４における下側のガイドピン１５，１５が遊嵌される。両支持板１９ａ，１９ａの前後両側部は、それぞれ中央の溝部２９，２９を挟んで上下に分割される。
【００１７】
前記分割された前後・上下部のうち、１箇所のみが他の３箇所とその先端形状が相違している。図３乃至図５では、第二レバー部材１９における上部前側の上前板部が係合凸部３０ａとして形成され、他の上後板部３０ｂ、下前板部３１ａ及び下後板部３１ｂの形状と相違している。これら３箇所の上後板部３０ｂ、下前板部３１ａ及び下後板部３１ｂは共に鉛直面内における外側角部が弧状に削り取られるようにして形成されている。これに対し、前記１箇所の上前板部である係合凸部３０ａは鉛直面内においてその先端面が長方形状に形成されている。しかも、係合凸部３０ａにおける第二レバー部材１９の長手方向に沿った先端までの距離が他の上後板部３０ｂ、下前板部３１ａ及び下後板部３１ｂよりも長く設定されている。そして、この係合凸部３０ａの先端が、前記第一レバー部材１８における係合凹部２４に係脱自在に係合することになる。一方、他の下前板部３１ａは、係合凸部３０ａよりも短いことから第一レバー部材１８における係合凹部２４に係合し得ない。
【００１８】
このようにして、一対の可動翼片８，８、第一レバー部材１８、第二レバー部材１９、ソレノイド１１が連係される。そして、ソレノイド１１が消磁している状態では、図５（イ）に示すようにプランジャー１２が圧縮コイルバネ１３の付勢により下方へ延びると共に作用枠体１４が下動し、第二レバー部材１９の後側が下方へ回動すると共に前側が上方へ回動し、同時に第一レバー部材１８の後側が上方へ回動すると共に前側が下方へ回動する。これにより、一対の可動翼片８，８が起立して、ポケット枠部５へのパチンコ球の入賞を困難にしている。
【００１９】
またこの場合、図７に示すように第一レバー部材１８の後側である基端部１８ａの両係合凹部２４，２４に、第二レバー部材１９の前側の両上前板部すなわち係合凸部３０ａ，３０ａが係合するようになっている。すなわち、係合凹部２４，２４は、第一レバー部材１８の支軸部２０の中心と第二レバー部材１９の支軸部２７の中心とを結んだ基線Ｒから外れてその上方に位置している。また、係合凸部３０ａが係合凹部２４に係合しているとき、第一レバー部材１８の後部が基線Ｒ側へ回動することは不可能であるが、第二レバー部材１９の前部を基線Ｒ側へ回動させ係合凸部３０ａの係合を外すことは可能であるように張出部２６の弧状面が設定される。この状態で、他の個所で入賞球の発生が有り、これによってソレノイド１１が励磁すると、図５（ロ）に示すようにプランジャー１２が圧縮コイルバネ１３の付勢に抗して上方へ収縮すると共に作用枠体１４が上動し、第二レバー部材１９の後側を上方へ跳ね上げると共に前側を下方へ回動させる。同時に、第一レバー部材１８の後側が下方へ回動すると共に前側が上方へ跳ね上げられる。これに伴い、一対の可動翼片８，８が逆ハの字状に傾倒して開き、パチンコ球が入賞し易い状態になる。
【００２０】
ところで、ソレノイド１１が消磁しているとき、すなわち係合凹部２４に係合凸部３０ａが係合しているときに、例えば遊技者が針金等の不正具を遊技盤面に這わせ可変入賞装置における可動翼片８，８を逆ハの字状に傾倒し故意に入賞球を発生させようとしても、図７実線に示すように係合凹部２４と係合凸部３０ａが係合している。しかも、その係合位置Ｐから第一レバー部材１８の支軸部２０の中心までの距離Ｌ１とその係合位置Ｐから第二レバー部材１９の支軸部２７の中心までの距離Ｌ２を加算した距離Ｌ１＋Ｌ２は、第一レバー部材１８の支軸部２０の中心から第二レバー部材１９の支軸部２７の中心間の距離Ｌ３より長い。このため、可動翼片８を故意に傾倒させようとして、第一レバー部材１８の前側を上方へ回動させると共に後側を下方へ回動させようとするも、前記距離Ｌ１＋距離Ｌ２＞距離Ｌ３の関係から、第一レバー部材１８は第二レバー部材１９に閊えてそれ以上後側を下方へ回動できないことになり、一対の可動翼片８，８が逆ハの字状に傾倒することはない。これにより、前記のような不正行為が防止される。
【００２１】
また、ソレノイド１１が励磁したときは、図７鎖線に示すように第二レバー部材１９の前側が下方へ回動して第一レバー部材１８の係合凹部２４から係合凸部３０ａが外れ、同時に第二レバー部材１９の前側の溝部２９ａに遊嵌する連係ピン２３が引き下げられ第一レバー部材１８の後側が下方へ回動する。これにより図５（ロ）に示すように第一レバー部材１８の前側が上方へ跳ね上げられ、一対の可動翼片８，８が逆ハの字状に傾倒することになる。この状態からソレノイド１１が消磁すれば、プランジャー１２がその圧縮コイルバネ１３の付勢により下方へ延びると共に作用枠体１４が下動し、これにより第一・第二レバー部材１８，１９が前記と逆方向へ回動して図５（イ）のように一対の可動翼片８，８が起立する。同時に、前記係合凹部２４に係合凸部３０ａが係合することになる。
【００２２】
パチンコホールにあっては、前記のように第一レバー部材１８の係合凹部２４に第二レバー部材１９の係合凸部３０ａを係合させることにより不正行為を防止するのではなく、ソレノイド１１が消磁しているとき、第一・第二レバー部材１８，１９が自在に回動できるようにしておいて、ソレノイド１１への信号の入力や不図示の球検出器における球検出信号の出力を検知して不正行為を発見し該不正行為を防止する場合がある。この場合は、可変入賞装置における所定個所のビスを取り外し、囲い枠６内の第二レバー部材１９を取り外す。そして、図４鎖線に示すように該第二レバー部材１９を上下反転して逆にした状態で付け直す。
【００２３】
これにより、ソレノイド１１が消磁しているときは、図６（イ）に示すようにプランジャー１２が圧縮コイルバネ１３の付勢により下方へ延びると共に作用枠体１４が下動しており、これによって第二レバー部材１９の後側が下方へ回動すると共に前側が上方へ回動し、同時に第一レバー部材１８の後側が上方へ回動すると共に前側が下方へ回動する。この際、第二レバー部材１９における上前板部３１ａの角部が弧状に形成されており、しかも、その下方に位置する係合凸部３０ａより該上前板部３１ａの第二レバー部材１９の長手方向に沿った先端までの距離が短いため、上前板部３１ａは第一レバー部材１８における係合凹部２４に係合し得ない。そして、一対の可動翼片８，８が起立して、可変入賞装置へのパチンコ球の入賞を困難にしている。一方、ソレノイド１１が励磁すると、図６（ロ）に示すようにプランジャー１２が圧縮コイルバネ１３の付勢に抗して上方へ収縮すると共に作用枠体１４が上動し、第二レバー部材１９の後側を上方へ跳ね上げると共に前側を下方へ回動させる。同時に、第一レバー部材１８の後側が下方へ回動すると共に前側が上方へ跳ね上げられる。これに伴い、一対の可動翼片８，８が逆ハの字状に傾倒して開き、パチンコ球が入賞し易い状態になる。この場合は、ソレノイド１１が消磁している状態で、可動翼片８，８を開けようとすると第一レバー部材１８がその後側を下方へ回動させてその開放が可能になる。
【００２４】
以上のように本発明は、伝達機構１７が、前側に位置し水平な支軸部２０に軸着される第一レバー部材１８と、第一レバー部材１８にその後側で連係しかつ水平な支軸部２７に上下反転して着脱自在に軸着される第二レバー部材１９と、からなり、第二レバー部材１９の支軸部２７より前側であってその上部または下部の一方に係合凸部３０ａを設け、第一レバー部材１８の支軸部２０より後側であって該第一レバー部材１８の支軸部２０の中心と第二レバー部材１９の支軸部２７の中心とを結んだ基線Ｂ上から外れた位置に、係合凸部３０ａが係合しているとき第一レバー部材１８後部の基線Ｂ側への回動が第二レバー部材１９に閊えて不可能であるのに対し第二レバー部材１９前部の基線Ｂ側への回動が可能となるように形成された係合凹部２４を設けている。そして、第二レバー部材１９を上下反転して支軸部２０に付け直すことができるようにすることにより、係合凸部３０ａが係合凹部２４に係合可能な状態と係合不能な状態とに変換できることになる。これによって、パチンコ遊技機メーカーーはパチンコホールの要請に対しても該パチンコホールの要請に合った方法に容易に切替ができ、しかも、余分な設備を必要とすることなく一つの設備でもって２種類の可変入賞装置を製作することが可能なことから、設備費の面で極めて経済的である。
【符号の説明】
【００２５】
８              可動翼片
１１            電気的駆動手段（ソレノイド）
１７            伝達機構
１８            第一レバー部材
１９            第二レバー部材
２０            支軸部
２４            係合凹部
２７            支軸部
３０ａ          係合凸部
Ｂ              基線
Ｐ              係合位置
【図１】
2012011020.tif 000003
【図２】
2012011020.tif 000004
【図３】
2012011020.tif 000005
【図４】
2012011020.tif 000006
【図５】
2012011020.tif 000007
【図６】
2012011020.tif 000008
【図７】
2012011020.tif 000009